(57)【要約】      （修正有）【課題】電力供給設備の大型化を防止する。【解決手段】情報処理装置から入出力要求を受信するチャネル制御部、ディスクドライブに対してデータの読み書きを行うディスク制御部、チャネル制御部とディスク制御部との間で授受されるデータを記憶するキャッシュメモリ、及びチャネル制御部とディスク制御部とキャッシュメモリとを通信可能に接続する接続部を有する第１Ｉ／Ｏ制御部と、第１Ｉ／Ｏ制御部と消費電流が略等しい第２Ｉ／Ｏ制御部と、第１Ｉ／Ｏ制御部に電力を供給する第１電源装置と、第２Ｉ／Ｏ制御部に電力を供給する第２電源装置と、外部から供給される電力を第１電源装置及び第２電源装置に供給すると共に所定値以上の電流が流れると電力供給を停止する少なくとも３つの回路遮断器とを備え、第１電源装置及び第２電源装置のそれぞれは互いの出力電流を一致させる電流平衡回路を有することを特徴とするストレージ制御装置に関する。【選択図】図１４
2005157812.tif 000002
【特許請求の範囲】
【請求項１】
情報処理装置と通信可能に接続され、前記情報処理装置からデータ入出力要求を受信するチャネル制御部、データを記憶するハードディスクドライブと通信可能に接続され、前記データ入出力要求に応じて前記ハードディスクドライブに対してデータの読み書きを行うディスク制御部、前記チャネル制御部と前記ディスク制御部との間で授受されるデータを記憶するキャッシュメモリ、及び前記チャネル制御部と前記ディスク制御部と前記キャッシュメモリとを通信可能に接続する接続部を有する第１のＩ／Ｏ制御部と、
前記第１のＩ／Ｏ制御部と消費電流が略等しい第２のＩ／Ｏ制御部と、
前記第１のＩ／Ｏ制御部に電力を供給する第１の電源装置と、
前記第２のＩ／Ｏ制御部に電力を供給する第２の電源装置と、
外部から供給される電力を前記第１の電源装置及び前記第２の電源装置に供給すると共に、所定値以上の電流が流れると前記電力の供給を停止する少なくとも３つの回路遮断器と、
を備え、
前記第１の電源装置及び前記第２の電源装置のそれぞれは、互いの出力電流を一致させる電流平衡回路を有すること
を特徴とするストレージ制御装置。
【請求項２】
前記回路遮断器に外部から供給される前記電力は交流電力であり、
前記第１の電源装置は、前記交流電力を直流電力に変換して出力するＡＣＤＣ変換部を有し、前記直流電力を前記第１のＩ／Ｏ制御部に供給し、
前記第２の電源装置は、前記交流電力を直流電力に変換して出力するＡＣＤＣ変換部を有し、前記直流電力を前記第２のＩ／Ｏ制御部に供給すること
を特徴とする請求項１に記載のストレージ制御装置。
【請求項３】
前記回路遮断器に外部から供給される前記電力は３相交流電力であり、
前記回路遮断器は、前記３相交流電力の各相に所定値以上の電流が流れると、その相の前記電力の供給を停止し、
前記第１の電源装置は、前記３相交流電力の各相の交流電力を直流電力に変換して出力するＡＣＤＣ変換部を各相毎に有し、前記各相毎の出力電流を一致させると共に、前記第１の電源装置及び前記第２の電源装置の互いの出力電流を一致させる電流平衡回路を有し、
前記第２の電源装置は、前記３相交流電力の各相の交流電力を直流電力に変換して出力するＡＣＤＣ変換部を各相毎に有し、前記各相毎の出力電流を一致させると共に、前記第１の電源装置及び前記第２の電源装置の互いの出力電流を一致させる電流平衡回路を有すること
を特徴とする請求項１に記載のストレージ制御装置。
【請求項４】
前記第１の電源装置及び前記第２の電源装置は、それぞれが前記回路遮断器の数以上備えられ、
前記第１の電源装置と前記第２の電源装置とは同数であり、
前記各回路遮断器は、互いに異なる前記第１の電源装置及び前記第２の電源装置に前記電力を供給し、
前記各第１の電源装置及び前記各第２の電源装置のそれぞれは、互いの出力電流を一致させる電流平衡回路を有すること
を特徴とする請求項１に記載のストレージ制御装置。
【請求項５】
前記各回路遮断器から前記第１の電源装置及び前記第２の電源装置への前記電力の供給は、前記各回路遮断器と前記第１の電源装置及び前記第２の電源装置との間を着脱可能に接続する電気ケーブルにより行われること
を特徴とする請求項１に記載のストレージ制御装置。
【請求項６】
情報処理装置と通信可能に接続され、前記情報処理装置からデータ入出力要求を受信するチャネル制御部、データを記憶するハードディスクドライブと通信可能に接続され、前記データ入出力要求に応じて前記ハードディスクドライブに対してデータの読み書きを行うディスク制御部、前記チャネル制御部と前記ディスク制御部との間で授受されるデータを記憶するキャッシュメモリ、及び前記チャネル制御部と前記ディスク制御部と前記キャッシュメモリとを通信可能に接続する接続部を有する第１のＩ／Ｏ制御部と、
前記第１のＩ／Ｏ制御部と消費電流が略等しい第２のＩ／Ｏ制御部と、
前記ハードディスクドライブと、
３相交流電力の各相の交流電力を直流電力に変換して出力するＡＣＤＣ変換部を各相毎に有し、前記直流電力を前記第１のＩ／Ｏ制御部に供給する第１の電源装置と、
３相交流電力の各相の交流電力を直流電力に変換して出力するＡＣＤＣ変換部を各相毎に有し、前記直流電力を前記第２のＩ／Ｏ制御部に供給する第２の電源装置と、
外部から供給される３相交流電力を前記第１の電源装置及び前記第２の電源装置に供給すると共に、前記３相交流電力の各相に所定値以上の電流が流れると、その相の前記電力の供給を停止する少なくとも３つの回路遮断器と、
を備え、
前記第１の電源装置及び前記第２の電源装置は、それぞれが前記回路遮断器の数以上備えられ、
前記第１の電源装置と前記第２の電源装置とは同数であり、
前記各回路遮断器から前記各第１の電源装置及び前記各第２の電源装置への前記３相交流電力の供給は、前記各回路遮断器から互いに異なる前記各第１の電源装置及び前記各第２の電源装置へ着脱可能に接続される電気ケーブルにより行われ、
前記各第１の電源装置は、前記各相の出力電流を一致させると共に、前記各第１の電源装置及び前記各第２の電源装置の互いの出力電流を一致させる電流平衡回路を有し、
前記各第２の電源装置は、前記各相の出力電流を一致させると共に、前記各第１の電源装置及び前記各第２の電源装置の互いの出力電流を一致させる電流平衡回路を有すること
を特徴とするストレージ制御装置。
【請求項７】
情報処理装置と通信可能に接続され、前記情報処理装置からデータ入出力要求を受信するチャネル制御部、データを記憶するハードディスクドライブと通信可能に接続され、前記データ入出力要求に応じて前記ハードディスクドライブに対してデータの読み書きを行うディスク制御部、前記チャネル制御部と前記ディスク制御部との間で授受されるデータを記憶するキャッシュメモリ、及び前記チャネル制御部と前記ディスク制御部と前記キャッシュメモリとを通信可能に接続する接続部を有する第１のＩ／Ｏ制御部と、
前記第１のＩ／Ｏ制御部と消費電流が略等しい第２のＩ／Ｏ制御部と、
前記第１のＩ／Ｏ制御部に電力を供給する第１の電源装置と、
前記第２のＩ／Ｏ制御部に電力を供給する第２の電源装置と、
外部から供給される電力を前記第１の電源装置及び前記第２の電源装置に供給すると共に、所定値以上の電流が流れると前記電力の供給を停止する少なくとも３つの回路遮断器と、
を備えるストレージ制御装置の制御方法であって、
前記第１の電源装置及び前記第２の電源装置のそれぞれが、互いの出力電流を一致させるように制御を行うこと
を特徴とするストレージ制御装置の制御方法。 
【発明の詳細な説明】
【技術分野】
【０００１】
本発明はストレージ制御装置、及びストレージ制御装置の制御方法に関する。
【背景技術】
【０００２】
今日、企業活動を進める上で情報処理システムの果たす役割は極めて重要である。その中で、ディスクアレイ装置等のストレージ装置は、企業における資産ともいうべき大量のデータを記憶する極めて重要な装置である。そのためストレージ装置には、幾重にも渡る安全対策が施されている。例えばストレージ装置の中で、ストレージ装置全体の制御を司るストレージ制御装置においては、ブレーカ等の電力取り入れ装置を始め、電源装置や制御装置、電気ケーブル等、内部の電子機器の多くが冗長化されており、ストレージ装置は極めて高い信頼性、及び可用性を実現している。
【０００３】
この場合、電力取り入れ装置は、片方のみでも装置全体で消費される電力を取り入れるだけの電力容量を備えている必要がある。さらに、近年のストレージ装置の高性能化による消費電流の増大に伴い、電力取り入れ装置は益々大きな電力容量を備えることが求められている。
【特許文献１】特開２００２−３４１７７号公報
【発明の開示】
【発明が解決しようとする課題】
【０００４】
ストレージ装置が大容量の電力取り入れ装置を備える場合には、ストレージ装置が設置される場所の電力供給設備も大容量化する必要がある。電力供給設備を大容量化するためには、配電盤や電気ケーブルの交換、増設等の設備工事が必要となる。  
ここで、このような設備工事を回避する方策として、ストレージ装置が備える大容量の電力取り入れ装置のそれぞれを、複数の小容量の電力取り入れ装置に分割することが考えられる。  
しかしながらこの場合には、電力取り入れ装置の数が増加し、ストレージ装置が大型化、複雑化すると共に、コストも増大することになる。
【０００５】
本発明は上記課題を鑑みてなされたものであり、ストレージ制御装置、及びストレージ制御装置の制御方法を提供することを主たる目的とする。
【課題を解決するための手段】
【０００６】
上記課題を解決するために、本発明は、情報処理装置と通信可能に接続され、前記情報処理装置からデータ入出力要求を受信するチャネル制御部、データを記憶するハードディスクドライブと通信可能に接続され、前記データ入出力要求に応じて前記ハードディスクドライブに対してデータの読み書きを行うディスク制御部、前記チャネル制御部と前記ディスク制御部との間で授受されるデータを記憶するキャッシュメモリ、及び前記チャネル制御部と前記ディスク制御部と前記キャッシュメモリとを通信可能に接続する接続部を有する第１のＩ／Ｏ制御部と、前記第１のＩ／Ｏ制御部と消費電流が略等しい第２のＩ／Ｏ制御部と、前記第１のＩ／Ｏ制御部に電力を供給する第１の電源装置と、前記第２のＩ／Ｏ制御部に電力を供給する第２の電源装置と、外部から供給される電力を前記第１の電源装置及び前記第２の電源装置に供給すると共に、所定値以上の電流が流れると前記電力の供給を停止する少なくとも３つの回路遮断器と、を備え、前記第１の電源装置及び前記第２の電源装置のそれぞれは、互いの出力電流を一致させる電流平衡回路を有することを特徴とするストレージ制御装置に関する。
【０００７】
その他、本願が開示する課題、及びその解決方法は、発明を実施するための最良の形態の欄、及び図面により明らかにされる。
【発明の効果】
【０００８】
ストレージ制御装置、及びストレージ制御装置の制御方法を提供することができる。
【発明を実施するための最良の形態】
【０００９】
＝＝＝ディスクアレイ装置の外観＝＝＝
まず、本実施の形態に係るストレージ装置（以下、ディスクアレイ装置とも記す）１００の外観構成について図１を参照しながら説明する。  
図１に示すディスクアレイ装置１００は、制御装置（ストレージ制御装置）１１０と駆動装置１２０とを備えて構成される。図１に示す例では制御装置１１０が中央に配置され、その左右に駆動装置１２０が配置されている。
【００１０】
制御装置１１０はディスクアレイ装置１００全体の制御を司る。詳細は後述するが、制御装置１１０には、ディスクアレイ装置１００の全体の制御を司る論理部４２０と、データを記憶するためのハードディスクドライブユニット３１０が、前面側及び後面側に収容される。駆動装置１２０には、前面側及び後面側にハードディスクドライブユニット３１０が収容される。
【００１１】
ディスクアレイ装置１００は大きなデータ記憶容量を実現しつつ小型化を図るため、様々な電子機器が高密度に実装されている。図１には図示されていないが、これらの電子機器を動作させるために、制御装置１１０及び駆動装置１２０のそれぞれには、外部の配電盤１１００等の電力供給設備から交流電力が供給される。以下に、制御装置１１０及び駆動装置１２０のそれぞれの詳細な構成について、図２乃至図５を用いて説明する。
【００１２】
＝＝＝制御装置＝＝＝
まず制御装置１１０の構成を示す図を図２及び図４に示す。図２には、制御装置１１０を右斜め前方から見た場合の外観図と左斜め後方から見た場合の外観図をそれぞれ示す。図２の左側に記載された外観図が右斜め前方から見た場合の外観図であり、右側に記載された外観図が左斜め後方から見た場合の外観図である。
【００１３】
制御装置１１０は、ハードディスクドライブモジュール３００、論理モジュール４００、バッテリ８００、ＡＣ−ＢＯＸ（回路遮断器）７００、ＡＣ／ＤＣ電源（電源装置）６００、ファン５００、オペレータパネル１１１が筐体２００に収容されてなる。
【００１４】
ハードディスクドライブモジュール３００は筐体２００の上段に収容される。ハードディスクドライブモジュール３００には、データを記憶するための複数のハードディスクドライブユニット３１０が隣接して挿抜可能に収容されると共に、ファイバチャネルスイッチ（以下ＦＳＷとも記す）１５０が挿抜可能に収容される。
【００１５】
ハードディスクドライブユニット３１０は、データを記憶するハードディスクドライブ３１１やＤＣ／ＤＣコンバータ、制御回路等をキャニスタに収容してなる。ＤＣ／ＤＣコンバータは、ＡＣ／ＤＣ電源６００からハードディスクドライブユニット３１０に供給される定格５６Ｖの直流電力を、定格５Ｖの直流電力と定格１２Ｖの直流電力に変換して、ハードディスクドライブ３１１や制御回路へ供給する。定格１２Ｖの直流電力は、例えばディスクを回転させるためのモータに供給される。また定格５Ｖの直流電力は、例えばハードディスクドライブ３１１へのデータの読み書きを行う制御回路に供給される。
【００１６】
論理モジュール４００は筐体２００の中段に収容される。論理モジュール４００は、論理部４２０と論理モジュールファン４１０とを備える。論理部４２０は、ハードディスクドライブ３１１に対してデータの読み書きを行うための各種機能を備えた制御基板４３０を備えて構成される。詳細は後述するが、論理部４２０の制御基板４３０は、チャネルアダプタ（チャネル制御部）１３１、キャッシュメモリ１３３、共有メモリ１３５、接続部１３２、ディスクアダプタ（ディスク制御部）１３４の少なくともいずれかを含んで構成される。制御基板４３０には、動作させるための電圧が異なる複数の電子回路と、ＡＣ／ＤＣ電源６００から供給される５６Ｖの電圧から各電子回路を動作させる電圧を生成するＤＣ／ＤＣコンバータが形成されている。チャネルアダプタ１３１、キャッシュメモリ１３３、共有メモリ１３５、接続部１３２、ディスクアダプタ１３４は、ディスクアレイ装置１００の信頼性向上のためにそれぞれが２重化されている。２重化された一方のチャネルアダプタ１３１、キャッシュメモリ１３３、共有メモリ１３５、接続部１３２、ディスクアダプタ１３４が第１のＩ／Ｏ制御部を構成し、他方のチャネルアダプタ１３１、キャッシュメモリ１３３、共有メモリ１３５、接続部１３２、ディスクアダプタ１３４が第２のＩ／Ｏ制御部を構成する。第１のＩ／Ｏ制御部と第２のＩ／Ｏ制御部との消費電流は略等しい。以下、チャネルアダプタ１３１、キャッシュメモリ１３３、共有メモリ１３５、接続部１３２、及びディスクアダプタ１３４をＩ／Ｏ制御部とも記す。もちろん、Ｉ／Ｏ制御部は、チャネルアダプタ１３１、キャッシュメモリ１３３、共有メモリ１３５、接続部１３２、及びディスクアダプタ１３４を全て備えている必要はなく、情報処理装置１０００から受信したデータ入出力要求に応じて、データを記憶するハードディスクドライブ３１１に対してデータの読み書きを行う機能を備えていれば、いかなる構成とすることも可能である。論理モジュールファン４１０は、論理部４２０を冷却するための冷却風を発生させるための装置である。冷却風は論理モジュール４００の前面側から各論理部４２０の制御基板４３０の隙間を通って筐体２００の内部に入り、論理モジュールファン４１０及びファン５００により吸引されて筐体２００の天井部から筐体２００の外部に排出される。
【００１７】
バッテリ８００、ＡＣ−ＢＯＸ７００、ＡＣ／ＤＣ電源６００は筐体２００の下段に収容される。バッテリ８００、ＡＣ−ＢＯＸ７００、ＡＣ／ＤＣ電源６００を以下電源部とも記す。本実施の形態に係るディスクアレイ装置１００における電力供給の仕組みを示す図を図８、図９、及び図１５に示す。
【００１８】
ＡＣ−ＢＯＸ７００は、ディスクアレイ装置１００に対する電力の取り入れ口であり、ブレーカ７１０を備える。ＡＣ−ＢＯＸ７００には、ディスクアレイ装置１００の外部に設置される配電盤１１００等の電力供給設備から交流電力が供給される。ＡＣ−ＢＯＸ７００に供給される交流電力は、３相交流電力とすることもできるし、単相交流電力とすることもできる。ディスクアレイ装置１００の外部からＡＣ−ＢＯＸ７００に供給された交流電力は、ＡＣ−ＢＯＸ７００とＡＣ／ＤＣ電源６００との間を着脱可能に接続する電気ケーブルによりＡＣ／ＤＣ電源６００に供給される。またＡＣ−ＢＯＸ７００はブレーカ７１０を備えるため、所定値以上の電流が流れるとＡＣ／ＤＣ電源６００への電力の供給を停止する。３相交流電力が供給される場合のＡＣ−ＢＯＸ７００の構成図を図１８に示す。また単相交流電力が供給される場合のＡＣ−ＢＯＸ７００の構成図を図１９に示す。このように本実施の形態に係るディスクアレイ装置１００では、ＡＣ−ＢＯＸ７００及び、ＡＣ−ＢＯＸ７００とＡＣ／ＤＣ電源６００との間を着脱可能に接続する電気ケーブルとを交換することにより、ユーザが備える電力供給設備に応じて、容易に３相交流電力と単相交流電力とを切り替えることができる。
【００１９】
ＡＣ／ＤＣ電源６００は、交流電力を直流電力に変換して出力するＡＣＤＣ変換部６１０を有し、論理部４２０のＩ／Ｏ制御部やハードディスクドライブユニット３１０等に直流電力を供給するための電源装置である。またＡＣ／ＤＣ電源６００は電流平衡回路６２０を備える。各ＡＣ／ＤＣ電源６００の電流平衡回路６２０は、背面基板（以下バックボードとも記す）４５０を通じて相互に接続されており、ＡＣ／ＤＣ電源６００から出力される直流電流と、他のＡＣ／ＤＣ電源６００から出力される直流電流とを互いに一致させるように、直流電流の出力を制御する。電流平衡回路６２０により、ＡＣ／ＤＣ電源６００から出力される直流電流と、他のＡＣ／ＤＣ電源６００から出力される直流電流とを互いに一致させるように、直流電流の出力が制御される様子を示すフローチャートを図１６に示す。図１６では２つのＡＣ／ＤＣ電源６００の間で出力電流が一致するように制御が行われる場合の例を示す。なお図１６では、２つのＡＣ／ＤＣ電源６００はＰＳ１とＰＳ２と記されている。
【００２０】
まずＰＳ１からの出力電流がＰＳ２からの出力電流よりも大きい場合は（S1000）、"Ｙ"に進む。続いてＰＳ２はＰＳ１の最大電流信号をＰＳＣＯＮＴ信号により知る（S1001）。ＰＳＣＯＮＴ信号は例えば、背面基板４５０を通じて各電流平衡回路６２０を相互に接続する回路を介して互いにやりとりされている。そうするとＰＳ２は最大電流信号と自己電流信号とを比較し（S1002）、最大電流信号と自己電流信号の差分に相当する電圧分だけ出力電圧を上げる（S1003）。これにより出力電流が増加するので（S1004）、ＰＳ１の出力電流が減少する（S1005）。以上によりＰＳ１とＰＳ２との出力電流を一致させることができる（S1006）。一方S1000において、ＰＳ１からの出力電流がＰＳ２からの出力電流よりも大きくない場合は、"Ｎ"に進む。そしてＰＳ１はＰＳ２の最大電流信号をＰＳＣＯＮＴ信号により知る（S1007）。そうするとＰＳ１は最大電流信号と自己電流信号とを比較し（S1008）、最大電流信号と自己電流信号の差分に相当する電圧分だけ出力電圧を上げる（S1009）。これにより出力電流が増加するので（S1010）、ＰＳ２の出力電流が減少する（S1011）。以上によりＰＳ１とＰＳ２との出力電流を一致させることができる（S1012）。
【００２１】
また、電流平衡回路６２０は、各ＡＣ／ＤＣ電源６００から出力される電流を一致させるだけでなく、ある比率で出力されるようにすることができる。比率の設定は、電流平衡回路６２０にバランス調整信号を入力することにより行うことができる。バランス調整信号は、例えばディスクアレイ装置１００を保守・管理するオペレータが、ディスクアレイ装置１００に設けられたボリュームつまみ（トリマ）を操作することにより、入力されるようにすることができる。またバランス調整信号は、後述する管理端末１３６から送信される制御信号とすることもできる。各ＡＣ／ＤＣ電源６００にバランス調整信号が入力されることにより、例えば、ＡＣ／ＤＣ電源１（６００）からの出力電流とＡＣ／ＤＣ電源２（６００）からの出力電流との比率を２対１にするようにすることもできる。
【００２２】
また３相交流電力が供給される場合の電力供給の仕組みを示す図を図１５に示す。この場合には、ＡＣ−ＢＯＸ７００は３相交流電力の各相毎にブレーカ７１０を有し、各相に所定値以上の電流が流れると、その相の前記電力の供給を停止する。またＡＣ／ＤＣ電源６００は、ＡＣＤＣ変換部６１０を各相毎に有する。そして電流平衡回路６２０は、各相毎の出力電流を一致させると共に、他のＡＣ／ＤＣ電源６００から出力される直流電流を互いに一致させるように、直流電流の出力を制御する。なお、ＡＣ／ＤＣ電源６００は、３相交流電力の場合も単相交流電力の場合も同様の構造である。すなわち、ＡＣ／ＤＣ電源６００が備える３つのＡＣＤＣ変換部６１０は、３相交流電力の場合は、各相（Ｒ相、Ｓ相、Ｔ相）の交流電力をそれぞれ直流電力に変換するし、単相交流電力の場合は、３つの単相交流電力をそれぞれ直流電力に変換するのである。また単相交流電力の場合であっても、電流平衡回路６２０は、３つの単相交流電力のそれぞれの出力電流を一致させると共に、他のＡＣ／ＤＣ電源６００から出力される直流電流を互いに一致させるように、直流電流の出力を制御するのである。
【００２３】
ここで、装置負荷とは、例えば論理部４２０のＩ／Ｏ制御部や、ハードディスクドライブユニット３１０、ファイバチャネルスイッチ１５０等の、ＡＣ／ＤＣ電源６００から供給される電力を消費する電子機器である。ここで論理部４２０やハードディスクドライブユニット３１０ではそれぞれ異なる定格電圧の直流電力が消費される。例えば本実施の形態に係る論理部４２０の制御基板４３０では定格５Ｖや３．３Ｖやその他の定格電圧の直流電力が消費される。またハードディスクドライブユニット３１０では定格５Ｖや１２Ｖの直流電力が消費される。ファイバチャネルスイッチ１５０では定格５Ｖの直流電力が消費される。このため本実施の形態に係る制御基板４３０やハードディスクドライブユニット３１０等にはそれぞれＤＣ／ＤＣコンバータを備えることとし、これによりＡＣ／ＤＣ電源６００から制御基板４３０やハードディスクドライブユニット３１０等の装置負荷へは同一定格電圧の直流電力を供給するようにしている。
【００２４】
具体的には、ＡＣ／ＤＣ電源６００は２００Ｖの交流電力を定格５６Ｖの直流電力に変換し出力する。そして、制御基板４３０やハードディスクドライブユニット３１０等にそれぞれ設けられるＤＣ／ＤＣコンバータは、単一の５６Ｖの入力電圧から上記各電圧を生成する。もちろん上述した各電圧の値は一例であり他の値とすることが可能である。
【００２５】
バッテリ８００は、停電時やＡＣ／ＤＣ電源６００の異常時等、ＡＣ／ＤＣ電源６００からの電力の供給が停止した場合に、ＡＣ／ＤＣ電源６００に代わって制御装置１１０が備える各装置、例えばハードディスクドライブ３１１や制御基板４３０が備えるＤＣ／ＤＣコンバータに電力を供給する蓄電装置である。
【００２６】
オペレータパネル１１１は筐体２００の前面側に配設される。オペレータパネル１１１は、ディスクアレイ装置１００を保守管理するオペレータによる操作入力を受け付けるための装置である。
【００２７】
背面基板４５０は、論理部４２０やハードディスクドライブユニット３１０、電源部を電気的に相互に接続するための回路が形成された基板である。
【００２８】
＝＝＝駆動装置＝＝＝
次に駆動装置１２０の構成を示す図を図３及び図５に示す。図３には、駆動装置１２０を右斜め前方から見た場合の外観図を示す。  
駆動装置１２０は、ハードディスクドライブモジュール３００、バッテリ８００、ＡＣ−ＢＯＸ７００、ＡＣ／ＤＣ電源６００、ファン５００が、略直方形の筐体２００に収容されてなる。駆動装置１２０が備えるこれらの各装置は、制御装置１１０が備えるそれぞれの装置と同じである。  
なお、制御装置１１０に用いられる筐体２００と駆動装置１２０に用いられる筐体２００とは同一構造とすることができる。この場合、筐体２００の中段に論理モジュール４００を収容すれば制御装置１１０とすることができ、筐体２００の中段にハードディスクドライブモジュール３００を収容すれば駆動装置１２０とすることができる。
【００２９】
＝＝＝ディスクアレイ装置の構成＝＝＝
次に、本実施の形態に係るディスクアレイ装置１００の内部構成を示すブロック図を図６に示す。ディスクアレイ装置１００はＳＡＮ（Storage Area network）９００を介して情報処理装置１０００と通信可能に接続されている。
【００３０】
ここで情報処理装置１０００はＣＰＵ（Central Processing Unit）やメモリを備えたコンピュータ等の情報機器である。情報処理装置１０００が備えるＣＰＵにより各種プログラムが実行されることにより、様々な機能が実現される。例えば情報処理装置１０００は銀行の自動預金預け払いシステムや航空機の座席予約システム等における中枢コンピュータとして利用されるようにすることもできる。ディスクアレイ装置１００は、このような社会的にも極めて重要な業務において取り扱われるデータを記憶する場合もあるため、極めて高い信頼性が求められる。
【００３１】
ＳＡＮ９００は、情報処理装置１０００とディスクアレイ装置１００との間でデータの授受を行うためのネットワークである。ＳＡＮ９００を介して行われる情報処理装置１０００とディスクアレイ装置１００との間の通信は、一般にファイバチャネルプロトコルに従って行われる。情報処理装置１０００からは、ディスクアレイ装置１００に対して、ファイバチャネルプロトコルに従ってデータ入出力要求が送信される。
【００３２】
本実施の形態に係るディスクアレイ装置１００は、ディスクアレイ制御部１３０とディスクアレイ駆動部１４０とを備える。ディスクアレイ制御部１３０は、制御装置１１０に構成される。またディスクアレイ駆動部１４０は、制御装置１１０又は駆動装置１２０に構成される。つまり、制御装置１１０はディスクアレイ制御部１３０とディスクアレイ駆動部１４０とを備え、駆動装置１２０はディスクアレイ駆動部１４０を備える。
【００３３】
ディスクアレイ制御部１３０は情報処理装置１０００からデータ入出力要求を受信し、受信したデータ入出力要求に応じて、ディスクアレイ駆動部１４０が備えるハードディスクドライブ３１１に対してデータの読み書きを行う。  
ディスクアレイ制御部１３０は、チャネルアダプタ１３１、キャッシュメモリ１３３、接続部１３２、共有メモリ１３５、ディスクアダプタ１３４、管理端末（以下、ＳＶＰとも記す）１３６を備える。チャネルアダプタ１３１、キャッシュメモリ１３３、接続部１３２、共有メモリ１３５、ディスクアダプタ１３４のそれぞれは、図４に示した論理部４２０を構成する制御基板４３０により構成される。
【００３４】
チャネルアダプタ１３１は情報処理装置１０００と通信可能に接続され、例えばファイバチャネルプロトコルに従って情報処理装置１０００からデータ入出力要求を受信し、情報処理装置との間でデータの授受を行う。
【００３５】
キャッシュメモリ１３３及び共有メモリ１３５は、チャネルアダプタ１３１とディスクアダプタ１３４との間で授受されるデータやコマンドを記憶するメモリである。例えばチャネルアダプタ１３１が情報処理装置１０００から受信したデータ入出力要求が書き込み要求であった場合には、チャネルアダプタ１３１は当該書き込み要求を共有メモリ１３５に書き込むと共に、情報処理装置１０００から受信した書き込みデータをキャッシュメモリ１３３に書き込む。そうすると、ディスクアダプタ１３４は共有メモリ１３５に書き込まれた当該書き込み要求に従って、キャッシュメモリ１３３から書き込みデータを読み出して、そのデータをハードディスクドライブ３１１に書き込む。
【００３６】
接続部１３２はチャネルアダプタ１３１、共有メモリ１３５、キャッシュメモリ１３３、ディスクアダプタ１３４を通信可能に相互に接続する。接続部１５０は例えばクロスバスイッチで構成される。
【００３７】
ディスクアダプタ１３４は、データを記憶するハードディスクドライブ３１１と通信可能に接続され、データ入出力要求に応じてハードディスクドライブ３１１と通信を行うことによりハードディスクドライブ３１１に対してデータの読み書きを行う。データの読み書きは、例えばファイバチャネル規格のＦＣ−ＡＬによって定められるループ（以下、ＦＣ−ＡＬループとも記す）を構成する通信路を介して行われる。通信路は、ディスクアダプタ１３４と、通信ケーブル１６０と、ＦＳＷ１５０と、ハードディスクドライブ３１１とを含んで構成される。ディスクアダプタ１３４とハードディスクドライブ３１１との間の通信はディスクアレイ駆動部１４０に設けられるＦＳＷ１５０により中継される。
【００３８】
管理端末１３６は、ディスクアレイ装置１００の保守、管理を行うための情報機器である。管理端末１３６は、例えば折りたたみ可能に構成されたディスプレイ装置とキーボード装置とを備えたノート型コンピュータとすることができる。管理端末１３６は、制御装置１１０に収容されている。もちろん管理端末１３６は制御装置１１０に収容されないようにすることもでき、例えば通信ネットワークで結ばれた遠隔地のコンピュータとすることもできる。またノート型コンピュータの形態に限られず、例えばデスクトップ型コンピュータの形態とすることもできる。さらに管理端末１３５は、ディスクアレイ装置１００の保守、管理を専用に行うための情報処理装置とすることもできるし、汎用の情報処理装置にディスクアレイ装置１００の保守、管理を行うための機能を付加したものとすることもできる。
【００３９】
なお、チャネルアダプタ１３１、ディスクアダプタ１３４、キャッシュメモリ１３３、共有メモリ１３５、接続部１３２は、それぞれ別個として設けられる必要はなく、一体的に構成されるようにすることもできる。また、これらのうちの少なくともいずれかの組み合わせが一体的に構成されるようにすることもできる。
【００４０】
＝＝＝ファイバチャネルスイッチ（ＦＳＷ）＝＝＝
次にディスクアダプタ１３４がＦＣ−ＡＬループを構成する通信路によりハードディスクドライブ３１１と接続される様子を図７に示す。  
図７に示すようにＦＣ−ＡＬループは、ＦＳＷ１５０が備えるマルチプレクサ１５１にディスクアダプタ１３４やハードディスクドライブ３１１が接続されることにより構成することができる。図７に示す例では２つのＦＳＷ１５０を跨って一つのＦＣ−ＡＬループが構成される様子が示される。
【００４１】
各マルチプレクサ１５１のセレクト信号は、各マルチプレクサ１５１の"１"で示される側の入力と、"０"で示される側の入力とのいずれかを選択するための信号である。  
マルチプレクサ１５１に、ディスクアダプタ１３４やハードディスクドライブ３１１が接続された場合に、マルチプレクサ１５１の"１"で示される側の入力が選択されるようにセレクト信号が入力される。マルチプレクサ１５１に何も接続されない場合には、マルチプレクサ１５１の"０"で示される側の入力が選択されるようにセレクト信号が入力される。また、例えばあるハードディスクドライブ３１１に障害が発生したことが検出された場合には、当該ハードディスクドライブ３１１が接続されているマルチプレクサ１５１の"０"で示される側の入力が選択されるようにセレクト信号が入力される。各マルチプレクサ１５１に入力されるセレクト信号の制御は、例えば制御部１５２により行われる。
【００４２】
ＦＳＷ１５０は、マルチプレクサ１５１の他に、制御部１５２やＤＣ／ＤＣコンバータ１５３を備える。
【００４３】
制御部１５２は、ＦＳＷ１５０の制御や、ハードディスクドライブユニット３１０が備えるＤＣ／ＤＣコンバータの制御を行う。ＦＳＷ１５０の制御とは、例えば各マルチプレクサ１５１へ入力されるセレクト信号の制御である。制御部１５２によるセレクト信号の制御は、例えばあるハードディスクドライブ３１１をディスクアダプタ１３４と通信可能な状態に設定する場合や、通信不可能な状態に設定する場合等に行われる。
【００４４】
ＤＣ／ＤＣコンバータ１５３は、ＡＣ／ＤＣ電源６００から供給される５６Ｖの直流電力を、ＦＳＷ１５０で消費される例えば５Ｖの直流電力に変換する。
【００４５】
＝＝＝電力供給の仕組み＝＝＝
次にディスクアレイ装置１００への電力供給の仕組みについて説明する。  
上述したように、ディスクアレイ装置１００には極めて高い信頼性が要求される。そのため、図１０に示すように、ディスクアレイ装置１００への電力供給は２重化されている。つまり、２重化されたＡＣ−ＢＯＸ７００のそれぞれからは、２重化された各装置負荷毎にそれぞれ同数設けられる各ＡＣ／ＤＣ電源６００に電力が供給される。この場合、各ＡＣ−ＢＯＸ７００は、互いに異なるＡＣ／ＤＣ電源６００に電力を供給するようにする。これにより、ＡＣ−ＢＯＸ７００、ＡＣ／ＤＣ電源６００、装置負荷のいずれにおいて障害が発生しても、ディスクアレイ装置１００の制御を継続することが可能となっている。例えば図１０に示すディスクアレイ装置１００は２つのＡＣ−ＢＯＸ７００を備え、いずれか一方のＡＣ−ＢＯＸ７００のブレーカ７１０が落ちて電力の供給が停止しても、他方のＡＣ−ＢＯＸ７００を通じてディスクアレイ装置１００内の各電子機器に電力の供給が継続されるようになっている。このような構成を採用するため、ディスクアレイ装置１００の各装置負荷に電力を供給するＡＣ／ＤＣ電源６００の数は、ＡＣ−ＢＯＸ７００の数以上備えられる。
【００４６】
いずれか一方のＡＣ−ＢＯＸ７００のブレーカ７１０が落ちて電力の供給が停止した場合、他方のＡＣ−ＢＯＸ７００には、装置負荷１及び装置負荷２の両方で消費される電力を賄う分の電流が流れる。具体的には、図１０に示す例では、装置負荷１及び蔵置負荷２のそれぞれは消費電流が１５Ａ（アンペア）であるとすると、他方のＡＣ−ＢＯＸ７００には３０Ａの電流が流れることになる。そのため、図１０に示すディスクアレイ装置１００では、各ＡＣ−ＢＯＸ７００のブレーカ７１０は、少なくとも３０Ａの電流が流れても電流の供給が停止しない（ブレーカが落ちない）ものを用いる必要がある。その場合には当然、配電盤１１００も、それだけの電流を流せるだけの容量を備えている必要がある。
【００４７】
また、ディスクアレイ装置１００の記憶容量を増大させるためにハードディスクドライブユニット３１０やディスクアダプタ１３４等を増設した場合など、ディスクアレイ装置１００を大規模化した場合には、それだけ消費電流は増大する。この場合、図１１に示すように、例えば装置負荷１及び装置負荷２の消費電流がそれぞれ３０Ａに増大したとすると、２つのＡＣ−ＢＯＸ７００のブレーカは、少なくとも６０Ａの電流が流れても電流の供給が停止しないものに変更する必要がある。この場合、配電盤１１００も同様に少なくとも６０Ａの電流が流れても電流の供給が停止しないものに変更する必要がある。ＡＣ−ＢＯＸ７００を電流容量の大きなものに変更するのは、ＡＣ−ＢＯＸ７００や電気ケーブルの交換程度の作業で済むことから、比較的容易ではあるが、配電盤１１００の電流容量を増大させるためには、設備工事が必要となり、容易に行える作業ではない。加えて、配電盤１１００の電流容量を増大させた場合、電力会社との契約変更が必要となる場合もあり、このため、電力料金の増加によりディスクアレイ装置１００の運用コストが増大する場合もある。
【００４８】
ここで、ＡＣ−ＢＯＸ７００及び配電盤１１００の電流容量を増大させずに、ディスクアレイ装置１００を大規模化するための方策として、図１２に示すように、図１１における各ＡＣ−ＢＯＸ７００を２つのＡＣ−ＢＯＸ７００で実現することが考えられる。図１１に示すＡＣ−ＢＯＸ１（７００）とＡＣ−ＢＯＸ２（７００）とは、図１２においては、それぞれＡＣ−ＢＯＸ１（７００）及びＡＣ−ＢＯＸ３（７００）、ＡＣ−ＢＯＸ２（７００）及びＡＣ−ＢＯＸ４（７００）により構成されている。このようにすれば、各ＡＣ−ＢＯＸ７００の電流容量は３０Ａで済ませるようにすることができる。
【００４９】
一方、本実施の形態に係るディスクアレイ装置１００においては、図１３に示すように、各ＡＣ−ＢＯＸ７００の電流容量を２０Ａにすることができる。これは、各ＡＣ−ＢＯＸ７００を、装置負荷１に電力を供給するＡＣ／ＤＣ電源（第１の電源装置）６００と装置負荷２に電力を供給するＡＣ／ＤＣ電源（第２の電源装置）６００とに接続するようにし、また各ＡＣ／ＤＣ電源６００には、互いの出力電流を一致させる電流平衡回路６２０を備えるようにしているからである。例えば仮にＡＣ−ＢＯＸ４（７００）のブレーカ７１０が落ち、ＡＣ−ＢＯＸ４（７００）からの電力の供給が停止した場合を考える。この場合は、ＡＣ／ＤＣ電源１４（６００）から装置負荷１への電力の供給と、ＡＣ／ＤＣ電源２４（６００）から装置負荷２への電力の供給とが停止する。そうすると、装置負荷１の消費電流３０Ａは、ＡＣ／ＤＣ電源１１（６００）、ＡＣ／ＤＣ電源１２（６００）、及びＡＣ／ＤＣ電源１３（６００）の３つのＡＣ／ＤＣ電源６００により賄われる必要がある。同様に、装置負荷２の消費電流３０Ａは、ＡＣ／ＤＣ電源２１（６００）、ＡＣ／ＤＣ電源２２（６００）、及びＡＣ／ＤＣ電源２３（６００）の３つのＡＣ／ＤＣ電源６００により賄われる必要がある。ここで各ＡＣ／ＤＣ電源６００には電流平衡回路６２０が備えられているため、各ＡＣ／ＤＣ電源６００が賄わなければならない消費電流は、１０Ａとなる。ＡＣ−ＢＯＸ１乃至３（７００）は、それぞれ２つのＡＣ／ＤＣ電源６００に電力を供給しているので、ＡＣ−ＢＯＸ１乃至３（７００）は少なくとも２０Ａの電流が流れても電流の供給が停止しないものを用いることにより、ディスクアレイ装置１００への電力の供給を停止させないようにすることが可能となる。ここではＡＣ−ＢＯＸ４（７００）からの電力供給が停止した場合についての例を示したが、他のＡＣ−ＢＯＸ７００が電力供給を停止した場合も同様である。
【００５０】
このように、本実施の形態に係るディスクアレイ装置１００においては、ディスクアレイ装置１００を大規模化し消費電流が増大した場合にも、ＡＣ−ＢＯＸ７００や配電盤１１００の電流容量の増加を抑制することが可能となる。これにより、設備工事や電力契約の変更の必要性を無くすことができ、ディスクアレイ装置１００を設置するユーザにとって、大きな負担軽減、及びコスト削減を実現することが可能となる。
【００５１】
また、本実施の形態に係るディスクアレイ装置１００においては、各ＡＣ−ＢＯＸ７００が、装置負荷１に電力を供給するＡＣ／ＤＣ電源６００と装置負荷２に電力を供給するＡＣ／ＤＣ電源６００とに接続されるように構成されるので、ディスクアレイ装置１００の規模に合わせて、その都度ＡＣ／ＤＣ電源６００とＡＣ−ＢＯＸ７００とを追加、削除を行ってゆくことが可能である。図１３に示す例では、「Option」と記載された例えばＡＣ／ＤＣ電源１４（６００）とＡＣ／ＤＣ電源２４（６００）とをそれぞれ装置負荷１と装置負荷２とに追加する際に、ＡＣ／ＤＣ電源１４（６００）とＡＣ／ＤＣ電源２４（６００）とに電力を供給するＡＣ−ＢＯＸ４（７００）を追加するようにすることができる。これにより、本実施の形態に係るディスクアレイ装置１００は、ユーザニーズに応じた規模のディスクアレイ装置１００をユーザに提供できると共に、ディスクアレイ装置１００の規模に応じた電源装置を備えるようにすることができる。
【００５２】
また、各ＡＣ／ＤＣ電源６００の電流平衡回路６２０にバランス調整信号を入力することにより、各ＡＣ−ＢＯＸ７００を流れる電流の比率を変えることもできるので、ユーザの電力供給設備に合わせて柔軟、かつ適切な電力の供給を可能とすることができる。  
そのため、本実施の形態に係るディスクアレイ装置１００においては、図１４に示すように、３つのＡＣ−ＢＯＸ７００によりディスクアレイ装置１００に電力の供給を受けるようにすることもできる。
【００５３】
この場合は、例えばＡＣ−ＢＯＸ１（７００）のブレーカ７１０が落ち、ＡＣ−ＢＯＸ１（７００）からの電力の供給が停止した場合をまず考える。この場合は、ＡＣ／ＤＣ電源１１（６００）とＡＣ／ＤＣ電源１３（６００）から装置負荷１への電力の供給と、ＡＣ／ＤＣ電源２１（６００）とＡＣ／ＤＣ電源２３（６００）から装置負荷２への電力の供給とが停止する。そうすると、装置負荷１の消費電流３０Ａは、ＡＣ／ＤＣ電源１２（６００）、及びＡＣ／ＤＣ電源１４（６００）の２つのＡＣ／ＤＣ電源６００により賄われる必要がある。同様に、装置負荷２の消費電流３０Ａは、ＡＣ／ＤＣ電源２２（６００）、及びＡＣ／ＤＣ電源２４（６００）の２つのＡＣ／ＤＣ電源６００により賄われる必要がある。ここで各ＡＣ／ＤＣ電源６００には電流平衡回路６２０が備えられているため、各ＡＣ／ＤＣ電源６００が賄わなければならない消費電流は、１５Ａとなる。ＡＣ−ＢＯＸ２乃至３（７００）は、それぞれ２つのＡＣ／ＤＣ電源６００に電力を供給しているので、ＡＣ−ＢＯＸ２乃至３（７００）は少なくとも３０Ａの電流が流れても電流の供給が停止しないものを用いることにより、ディスクアレイ装置１００への電力の供給を停止させないようにすることが可能となる。
【００５４】
また、例えばＡＣ−ＢＯＸ３（７００）のブレーカ７１０が落ち、ＡＣ−ＢＯＸ３（７００）からの電力の供給が停止した場合を考える。この場合は、ＡＣ／ＤＣ電源１４（６００）から装置負荷１への電力の供給と、ＡＣ／ＤＣ電源２４（６００）から装置負荷２への電力の供給とが停止する。そうすると、装置負荷１の消費電流３０Ａは、ＡＣ／ＤＣ電源１１（６００）、ＡＣ／ＤＣ電源１２（６００）、及びＡＣ／ＤＣ電源１３（６００）の３つのＡＣ／ＤＣ電源６００により賄われる必要がある。同様に、装置負荷２の消費電流３０Ａは、ＡＣ／ＤＣ電源２１（６００）、ＡＣ／ＤＣ電源２２（６００）、及びＡＣ／ＤＣ電源２３（６００）の３つのＡＣ／ＤＣ電源６００により賄われる必要がある。  
ここで各ＡＣ／ＤＣ電源６００には電流平衡回路６２０が備えられているため、各ＡＣ／ＤＣ電源６００が賄わなければならない消費電流は、１０Ａとなる。ＡＣ−ＢＯＸ１（７００）は、４つのＡＣ／ＤＣ電源６００に電力を供給しているので、ＡＣ−ＢＯＸ１（７００）は少なくとも４０Ａの電流が流れても電流の供給が停止しないものを用いることにより、ディスクアレイ装置１００への電力の供給を停止させないようにすることが可能となる。そしてＡＣ−ＢＯＸ２（７００）は、２つのＡＣ／ＤＣ電源６００に電力を供給しているので、この場合はＡＣ−ＢＯＸ２（７００）は少なくとも２０Ａの電流が流れても電流の供給が停止しないものを用いることにより、ディスクアレイ装置１００への電力の供給を停止させないようにすることが可能となる。ＡＣ−ＢＯＸ２（７００）が電力供給を停止した場合も同様である。
【００５５】
以上により、ＡＣ−ＢＯＸ１（７００）は少なくとも４０Ａの電流が流れても電流の供給が停止しないもの、そしてＡＣ−ＢＯＸ２乃至３（７００）は少なくとも３０Ａの電流が流れても電流の供給が停止しないものを用いることにより、いずれかのＡＣ−ＢＯＸ７００からの電力の供給が停止しても、ディスクアレイ装置１００への電力の供給を停止させないようにすることが可能となる。
【００５６】
なお図１７に示すように、電流平衡回路６２０をＡＣ−ＢＯＸ７００に備える様にし、各ＡＣ−ＢＯＸ７００から出力される電流を一致させるようにすることもできる。この場合には、各ＡＣ−ＢＯＸ７００から出力される電流が一致するので、図１４に示す例では、ＡＣ−ＢＯＸ１乃至３（７００）のいずれもが、少なくとも３０Ａの電流が流れても電流の供給が停止しないものを用いることが可能となる。
【００５７】
具体的に説明すると、まず例えばＡＣ−ＢＯＸ１（７００）のブレーカ７１０が落ち、ＡＣ−ＢＯＸ１（７００）からの電力の供給が停止した場合を考える。この場合は、ＡＣ／ＤＣ電源１１（６００）とＡＣ／ＤＣ電源１３（６００）から装置負荷１への電力の供給と、ＡＣ／ＤＣ電源２１（６００）とＡＣ／ＤＣ電源２３（６００）から装置負荷２への電力の供給とが停止する。そうすると、装置負荷１の消費電流３０Ａは、ＡＣ／ＤＣ電源１２（６００）、及びＡＣ／ＤＣ電源１４（６００）の２つのＡＣ／ＤＣ電源６００により賄われる必要がある。同様に、装置負荷２の消費電流３０Ａは、ＡＣ／ＤＣ電源２２（６００）、及びＡＣ／ＤＣ電源２４（６００）の２つのＡＣ／ＤＣ電源６００により賄われる必要がある。この場合には、ＡＣ／ＤＣ電源１２（６００）とＡＣ／ＤＣ電源２２（６００）とはＡＣ−ＢＯＸ２（７００）により電力の供給が行われ、ＡＣ／ＤＣ電源１４（６００）とＡＣ／ＤＣ電源２４（６００）とはＡＣ−ＢＯＸ３（７００）により電力の供給が行われるから、ＡＣ−ＢＯＸ２（７００）とＡＣ−ＢＯＸ３（７００）とに３０Ａずつの電流が流れることになる。そしてＡＣ／ＤＣ電源１２（６００）、ＡＣ／ＤＣ電源２２（６００）、ＡＣ／ＤＣ電源１４（６００）、ＡＣ／ＤＣ電源２４（６００）には、それぞれ１５Ａの電流がながれることになる。これによりＡＣ−ＢＯＸ２乃至３（７００）は少なくとも３０Ａの電流が流れても電流の供給が停止しないものを用いることにより、ディスクアレイ装置１００への電力の供給を停止させないようにすることが可能となる。
【００５８】
一方、例えばＡＣ−ＢＯＸ３（７００）のブレーカ７１０が落ち、ＡＣ−ＢＯＸ３（７００）からの電力の供給が停止した場合を考える。この場合は、ＡＣ／ＤＣ電源１４（６００）から装置負荷１への電力の供給と、ＡＣ／ＤＣ電源２４（６００）から装置負荷２への電力の供給とが停止する。そうすると、装置負荷１の消費電流３０Ａは、ＡＣ／ＤＣ電源１１（６００）、ＡＣ／ＤＣ電源１２（６００）、及びＡＣ／ＤＣ電源１３（６００）の３つのＡＣ／ＤＣ電源６００により賄われる必要がある。同様に、装置負荷２の消費電流３０Ａは、ＡＣ／ＤＣ電源２１（６００）、ＡＣ／ＤＣ電源２２（６００）、及びＡＣ／ＤＣ電源２３（６００）の３つのＡＣ／ＤＣ電源６００により賄われる必要がある。この場合には、ＡＣ／ＤＣ電源１１（６００）とＡＣ／ＤＣ電源１３（６００）とＡＣ／ＤＣ電源２１（６００）とＡＣ／ＤＣ電源２３（６００）とはＡＣ−ＢＯＸ１（７００）により電力の供給が行われ、ＡＣ／ＤＣ電源１２（６００）とＡＣ／ＤＣ電源２２（６００）とはＡＣ−ＢＯＸ２（７００）により電力の供給が行われる。ＡＣ−ＢＯＸ１（７００）とＡＣ−ＢＯＸ２（７００）とのそれぞれには電流平衡回路６２０が備えられているから、ＡＣ−ＢＯＸ１（７００）から電力の供給をうけるＡＣ／ＤＣ電源１１（６００）とＡＣ／ＤＣ電源１３（６００）とＡＣ／ＤＣ電源２１（６００）とＡＣ／ＤＣ電源２３（６００）とからはそれぞれ７．５Ａの電流が出力される。そしてＡＣ−ＢＯＸ２（７００）から電力の供給をうけるＡＣ／ＤＣ電源１２（６００）とＡＣ／ＤＣ電源２２（６００）とからはそれぞれ１５Ａの電流が出力される。これにより、ＡＣ−ＢＯＸ１乃至２（７００）は少なくとも３０Ａの電流が流れても電流の供給が停止しないものを用いることにより、ディスクアレイ装置１００への電力の供給を停止させないようにすることが可能となるのである。
【００５９】
このように、本実施の形態に係るディスクアレイ装置１００においては、ディスクアレイ装置１００を大規模化し消費電流が増大した場合にも、ＡＣ−ＢＯＸ７００や配電盤１１００の電流容量の増加を抑制することが可能となる。つまりディスクアレイ装置１００が備えるＡＣ−ＢＯＸ７００の数と電流容量とを、ディスクアレイ装置が設置される場所の電力供給設備のコンセントの数と各コンセントの電流容量とに応じて、最適に組み合わせることが可能となる。これにより、電流容量が小さい電力供給設備しかない場所にも、電力供給設備の改造を行うことなくディスクアレイ装置１００を設置することが可能となる。またこの場合に、ディスクアレイ装置１００の各ＡＣ−ＢＯＸ７００を例えば倍々に増やすことによりＡＣ−ＢＯＸ７００一つあたりの電流容量を減らすのではなく、最適な数までＡＣ−ＢＯＸ７００の数を増やすことにより、ＡＣ−ＢＯＸ７００一つあたりの電流容量を減らすことができる。
【００６０】
そして本実施の形態に係るディスクアレイ装置１００においては、電流平衡回路６２０を備えることにより、少なくとも３つのＡＣ−ＢＯＸ７００で上記電流容量の抑制が実現できるのである。これにより、設備工事や電力契約の変更の必要性を無くすことができ、ディスクアレイ装置１００を設置するユーザにとって、大きな負担軽減、及びコスト削減を実現することが可能となる。また電流平衡回路６２０を備えることにより、各ＡＣ−ＢＯＸ７００を流れる電流のばらつきが抑制されるので、各ＡＣ−ＢＯＸ７００に実際に流れる電流に近い電流容量のＡＣ−ＢＯＸ７００を用いることが可能となる。このためＡＣ−ＢＯＸ７００の電流容量を実際の消費電流のより近くまで小さくすることができるようになる。
【００６１】
また本実施の形態に係るディスクアレイ装置１００においては、３つ以上のＡＣ−ＢＯＸ７００を備えることにより、一つのＡＣ−ＢＯＸ７００が故障しても、残りの各ＡＣ−ＢＯＸ７００に流れる電流は、ディスクアレイ装置１００の消費電流の半分以下とすることができるので、各ＡＣ−ＢＯＸ７００の電流容量を小さくすることが可能となる。またこの場合、残りのＡＣ−ＢＯＸ７００でディスクアレイ装置１００に対する電力の供給を継続することができるため、ディスクアレイ装置１００の信頼性を高めることもできる。
【００６２】
さらに、電流容量の小さなＡＣ−ＢＯＸ７００を用いることにより、ＡＣ−ＢＯＸ７００のサイズを小さくすることができるため、ディスクアレイ装置１００の小型化を図ることも可能となる。
【００６３】
以上発明を実施するための最良の形態について説明したが、上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００６４】
【図１】本実施の形態に係るストレージ装置の外観構成を示す図である。
【図２】本実施の形態に係る制御装置の外観構成を示す図である。
【図３】本実施の形態に係る駆動装置の外観構成を示す図である。
【図４】本実施の形態に係る制御装置に制御部用ボックスが収容される様子を示す図である。
【図５】本実施の形態に係る駆動装置にハードディスクドライブ用ボックスが収容される様子を示す図である。
【図６】本実施の形態に係るストレージ装置の内部構成を示すブロック図である
【図７】本実施の形態に係るディスクアダプタとハードディスクドライブとが通信可能に接続される様子を示すブロック図である。
【図８】本実施の形態に係るストレージ装置の電力供給の仕組みを示す図である。
【図９】本実施の形態に係るストレージ装置の電力供給の仕組みを示す図である。
【図１０】ストレージ装置の装置負荷に電力が供給される様子を示す図である。
【図１１】ストレージ装置の装置負荷に電力が供給される様子を示す図である。
【図１２】ストレージ装置の装置負荷に電力が供給される様子を示す図である。
【図１３】本実施の形態に係るストレージ装置の装置負荷に電力が供給される様子を示す図である。
【図１４】本実施の形態に係るストレージ装置の装置負荷に電力が供給される様子を示す図である。
【図１５】本実施の形態に係るストレージ装置の電力供給の仕組みを示す図である。
【図１６】本実施の形態に係る電流平衡回路におけるフローチャートである。
【図１７】本実施の形態に係るストレージ装置の電力供給の仕組みを示す図である。
【図１８】本実施の形態に係る３相交流電力用ＡＣ−ＢＯＸを示す図である。
【図１９】本実施の形態に係る単相交流電力用ＡＣ−ＢＯＸを示す図である。
【符号の説明】
【００６５】
１００    ディスクアレイ装置
１１０    制御装置
１２０    駆動装置
１３０    ディスクアレイ制御部
１３１    チャネルアダプタ
１３２    接続部
１３３    キャッシュメモリ
１３４    ディスクアダプタ
１３５    共有メモリ
１４０    ディスクアレイ駆動部
１５０    ファイバチャネルスイッチ
２００    筐体
３００    ハードディスクドライブモジュール
３１０    ハードディスクドライブユニット
３１１    ハードディスクドライブ
４００    論理モジュール
４２０    論理部
４３０    制御基板
６００    ＡＣ／ＤＣ電源
６１０    ＡＣＤＣ変換部
６２０    電流平衡回路
７００    ＡＣ−ＢＯＸ
７１０    ブレーカ
９００    ＳＡＮ
１０００  情報処理装置
１１００  配電盤 
【図４】
2005157812.tif 000003
【図５】
2005157812.tif 000004
【図６】
2005157812.tif 000005
【図７】
2005157812.tif 000006
【図８】
2005157812.tif 000007
【図９】
2005157812.tif 000008
【図１０】
2005157812.tif 000009
【図１１】
2005157812.tif 000010
【図１２】
2005157812.tif 000011
【図１３】
2005157812.tif 000012
【図１４】
2005157812.tif 000013
【図１５】
2005157812.tif 000014
【図１６】
2005157812.tif 000015
【図１７】
2005157812.tif 000016
【図１８】
2005157812.tif 000017
【図１９】
2005157812.tif 000018
【図１】
2005157812.tif 000019
【図２】
2005157812.tif 000020
【図３】
2005157812.tif 000021